(57)【要約】【課題】フリッカーの低減を図ることのできる電気光学装置、電気光学装置の駆動方法及び電子機器を提供する。【解決手段】各サブフレームに「１」、「２」、「４」、「８」、「１６」、「３２」をそれぞれ割り当てて、６４階調の中間調を表現する場合に、１フレーム期間を、それぞれ個々に所定の発光期間ＴＬ１〜ＴＴ７を指定する第１〜第７サブフレームＳＦ１〜ＳＦ７にて構成する。そして、最も長い発光期間、即ち「３２」を指定するサブフレームを、第４サブフレームＳＦ４と第７サブフレームＳＦ７に振り分けるとともに、その振り分けられた両サブフレームＳＦ４，ＳＦ７を互いに隣接しないように配列する。そして、階調データに基づいて最も長い「３２」が選択されるとき、その両サブフレームＳＦ４，ＳＦ７が選択されるようにする。【選択図】        図３
2004151644.tif 000002
【特許請求の範囲】
【請求項１】
各々が電気光学素子を備えた、複数の画素を有する電気光学装置であって、
前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、
前記複数のサブフレームは、同一の期間の長さを有する少なくとも２つのサブフレームを含むことを特徴とする電気光学装置。
【請求項２】
請求項１に記載の電気光学装置において、
前記少なくとも２つのサブフレームは、前記複数のサブフレームの中で最も長い期間を有することを特徴とする電気光学装置。
【請求項３】
請求項２に記載の電気光学装置において、
前記複数のサブフレームのうち前記少なくとも２つのサブフレームを除いたサブフレームの中で最も期間の長さが長いサブフレームの長さは、前記複数のサブフレームの中の最も期間の長いサブフレームの期間の長さの２分の１であることを特徴とする電気光学装置。
【請求項４】
請求項１乃至３のいずれか一つに記載の電気光学装置において、
前記少なくとも２つのサブフレームは、１フレーム期間において連続して設定されないことを特徴とする電気光学装置。
【請求項５】
各々が電気光学素子を備えた、複数の画素を有する電気光学装置であって、
前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、
前記複数のサブフレームのうち、最も期間の長い２つのサブフレームを除いたサブフレームの期間の長さは２進荷重に設定されていることを特徴とする電気光学装置。
【請求項６】
請求項５に記載の電気光学装置において、
前記最も期間の長い２つのサブフレームは、１フレーム期間において連続して設定されないことを特徴とする電気光学装置。
【請求項７】
各々が電気光学素子を備えた、複数の画素を有する電気光学装置であって、
前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、
前記複数のサブフレームのうち、最も長い期間を有する２つのサブフレームを除いたｎ個（ｎは自然数）のサブフレームの中で最も長い期間を有するサブフレームの期間の長さは、前記ｎ個のサブフレームの最も短い期間を有するサブフレームの期間の長さの２ｎ―１倍に設定されており、１フレームあたりの輝度は２ｎ＋１段階に設定可能になっていることを特徴とする電気光学装置。
【請求項８】
請求項７に記載の電気光学装置において、
前記最も長い期間を有する２つのサブフレームは、１フレーム期間において連続して設定されないことを特徴とする電気光学装置。
【請求項９】
各々が電気光学素子を備えた、複数の画素を有する電気光学装置であって、
前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、
前記複数のサブフレームのうち、最も期間の長い、２つのサブフレームを足し合わせた期間の長さが、前記複数のサブフレームのうち、最も短い期間を有するサブフレームの長さの２ｎ倍（ｎは自然数）に設定されており、１フレームあたりの輝度は２ｎ＋１段階に設定可能となっていることを特徴とする電気光学装置。
【請求項１０】
請求項９に記載の電気光学装置において、
前記２つのサブフレームは、１フレーム期間において連続して設定されないことを特徴とする電気光学装置。
【請求項１１】
各々が電気光学素子を備えた、複数の画素を有する電気光学装置であって、
前記複数の電気光学素子の各々の輝度を、１フレーム期間に含まれる、各々が所定の期間の長さを有する複数のサブフレームの各々毎に設定することにより、１フレームあたり、少なくとも２ｎ（ｎは自然数）段階の輝度を設定することが可能であり、
前記複数のサブフレームの数はｎ＋１個以上であることを特徴とする電気光学装置。
【請求項１２】
請求項１１に記載の電気光学装置において、
前記複数のサブフレームのうち、最も長いサブフレームの期間の長さは、最も期間の短いサブフレームの２ｎ−１倍であることを特徴とする電気光学装置。
【請求項１３】
電気光学素子を備え、１フレームあたり、少なくとも２段階以上の輝度を設定することが可能な電気光学装置であって、
前記電気光学素子は、前記１フレームの期間に含まれる、各々が所定の期間の長さを有する複数のサブフレームの各々において階調データに基づいてオン状態又はオフ状態のいずれかに制御され、
前記複数のサブフレームのうち、常に共にオン状態又はオフ状態のいずれかに制御されるサブフレームが少なくとも２つあることを特徴とする電気光学装置。
【請求項１４】
請求項１３に記載の電気光学装置において、
前記少なくとも２つあるサブフレームは、同一の期間の長さを有することを特徴とする電気光学装置。
【請求項１５】
請求項１３又は１４に記載の電気光学装置において、
前記少なくとも２つのサブフレームは、１フレーム期間において連続して設定されないことを特徴とする電気光学装置。
【請求項１６】
請求項１乃至１５のいずれか一つに記載の電気光学装置において、前記複数の画素のうち一つの走査線に接続されている一連の画素に対して設定される、前記複数のサブフレームの各々は実質的に同時に開始し、実質的に同時に終了することを特徴とする電気光学装置。
【請求項１７】
請求項１乃至１５のいずれか一つに記載の電気光学装置において、
前記複数の画素のうち少なくとも２つの走査線に接続されている一連の画素に対して設定される、前記複数のサブフレームの各々は実質的に同時に終了することを特徴とする電気光学装置。
【請求項１８】
請求項１６又は１７に記載の電気光学装置において、
前記走査線が選択されたとき導通する第１のトランジスタと、
前記第１のトランジスタを介して供給されるデータ信号を保持する容量素子と、
前記容量素子に保持されたデータ信号に基づいてオン・オフ制御される第２のトランジスタと、
前記第２のトランジスタのオン動作に基づいて駆動電流が供給される電子素子と
からなる画素回路を備えたことを特徴とする電気光学装置。
【請求項１９】
請求項１８に記載の電気光学装置において、
前記電子素子は、電流駆動素子であることを特徴とする電気光学装置。
【請求項２０】
請求項１９に記載の電気光学装置において、
前記電流駆動素子は、ＥＬ素子であることを特徴とする電気光学装置。
【請求項２１】
請求項２０に記載の電気光学装置において、
前記ＥＬ素子は、発光層が有機材料で構成されていることを特徴とする電気光学装置。
【請求項２２】
各々が電気光学素子を備えた、複数の画素を有する電気光学装置の駆動方法であって、
前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、
前記複数のサブフレームは、同一の期間の長さを有する少なくとも２つのサブフレームを含み、
前記２つのサブフレームが設定されるとき、その２つのサブフレームを互いに隣り合わないように設定するようにしたことを特徴とする電気光学装置の駆動方法。
【請求項２３】
各々が電気光学素子を備えた、複数の画素を有する電気光学装置の駆動方法であって、
前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、
前記複数のサブフレームのうち、最も期間の長い２つのサブフレームを除いたサブフレームの期間の長さは２進荷重に設定し、
前記２つのサブフレームが設定されるとき、その２つのサブフレームを互いに隣り合わないように設定するようにしたことを特徴とする電気光学装置の駆動方法。
【請求項２４】
各々が電気光学素子を備えた、複数の画素を有する電気光学装置の駆動方法であって、
前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、
前記複数のサブフレームのうち、最も長い期間を有する２つのサブフレームを除いたｎ個（ｎは自然数）のサブフレームの中で最も長い期間を有するサブフレームの期間の長さを、前記ｎ個のサブフレームの最も短い期間を有するサブフレームの期間の長さの２ｎ―１倍に設定し、
前記２つのサブフレームが設定されるとき、その２つのサブフレームを互いに隣り合わないように設定して、１フレームあたりの輝度を２ｎ＋１段階に設定可能にすることを特徴とする電気光学装置の駆動方法。
【請求項２５】
各々が電気光学素子を備えた、複数の画素を有する電気光学装置の駆動方法であって、
前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、
前記複数のサブフレームのうち、最も期間の長い、２つのサブフレームを足し合わせた期間の長さを、前記複数のサブフレームのうち、最も短い期間を有するサブフレームの長さの２ｎ倍（ｎは自然数）に設定し、
前記２つのサブフレームが設定されるとき、その２つのサブフレームを互いに隣り合わないように設定して、１フレームあたりの輝度を２ｎ＋１段階に設定可能にすることを特徴とする電気光学装置の駆動方法。
【請求項２６】
各々が電気光学素子を備えた、複数の画素を有する電気光学装置の駆動方法であって、
前記複数の電気光学素子の各々の輝度を、１フレーム期間に含まれる、各々が所定の期間の長さを有する複数のサブフレームの各々毎に設定することにより、１フレームあたり、少なくとも２ｎ（ｎは自然数）段階の輝度を設定することが可能であり、
前記複数のサブフレームの数はｎ＋１個以上設け、その中の予め定めた２つのサブフレームは常に共に設定及び非設定されるようにするとともに、設定されるときには、その２つのサブフレームを互いに隣り合わないように設定して、１フレームあたりの輝度を２ｎ段階に設定可能にすることを特徴とする電気光学装置の駆動方法。
【請求項２７】
請求項２２乃至２６のいずれか一つに記載の電気光学装置の駆動方法において、
前記複数の画素のうち一つの走査線に接続されている一連の画素に対して設定される、前記複数のサブフレームの各々は実質的に同時に開始し、実質的に同時に終了することを特徴とする電気光学装置の駆動方法。
【請求項２８】
請求項２２乃至２６のいずれか一つに記載の電気光学装置の駆動方法において、
前記複数の画素のうち少なくとも２つの走査線に接続されている一連の画素に対して設定される、前記複数のサブフレームの各々は実質的に同時に終了することを特徴とする電気光学装置の駆動方法。
【請求項２９】
請求項２７又は２８に記載の電気光学装置の駆動方法において、
前記走査線が選択されたとき導通する第１のトランジスタと、
前記第１のトランジスタを介して供給されるデータ信号を保持する容量素子と、
前記容量素子に保持されたデータ信号に基づいてオン・オフ制御される第２のトランジスタと、
前記第２のトランジスタのオン動作に基づいて駆動電流が供給される電子素子と
からなる画素回路を備えたことを特徴とする電気光学装置の駆動方法。
【請求項３０】
請求項１乃至２１のいずれか一つに記載の電気光学装置を実装した電子機器。
【発明の詳細な説明】
【０００１】
【発明の属する技術分野】
本発明は、電気光学装置、電気光学装置の駆動方法及び電子機器に関するものである。
【０００２】
【従来の技術】
近年、電気光学装置としての表示装置は、有機ＥＬ素子を用いた電気光学装置が注目されている。この種の電気光学装置には、有機ＥＬ素子の中間調を制御する駆動方式の一つしてデジタル方式がある。デジタル方式は、有機ＥＬ素子を駆動する薄膜トランジスタよりなる駆動用トランジスタの閾値バラツキを考慮する必要がないことから画素回路が小型にできることから優れている。このデジタル方式の一つとして時分割階調法がある。時分割階調法は、例えば、
オン信号を走査線を介してスイッチングトランジスタに与え、これに応答して駆動トランジスタの導通又は非導通を選択するセット信号を駆動トランジスタに与えるセットステップと、オン信号を走査線を介して前記スイッチングトランジスタに与えてこれに応答して駆動トランジスタを非導通とするリセット信号を前記リセットステップと、で規定するセット−リセット動作を複数回繰り返すことによって階調を得るようにしたものである（例えば、特許文献１）。
【０００３】
【特許文献１】
特開２００２−１７５０４７号公報
【０００４】
【発明が解決しようとする課題】
ところで、例えば、１フレーム中の複数のサブフレームが選択（設定）されその複数のサブフレームの発光期間に発光する状態が継続する場合がある。一方、１フレーム中の特定の１つのサブフレームのみが選択（設定）されそのサブフレームの発光期間のみ発光する状態が継続する場合がある。
【０００５】
前者の場合、１フレー中に少なくとも、複数回所定の発光期間発光するため、発光周期は短い。これに対して、後者に場合、１フレー中に１回だけ所定の発光期間発光するため、発光周期は長くなる。その結果、そのサブフレームの発光期間のみ発光する状態が継続する場合には、フリッカーが発生するという問題があった。特に、最も長い期間のサブフレームのみが選択されて１フレームの画像が形成される場合には、周期が長く発光輝度が高いことからフリッカーが目立つ。
【０００６】
本発明は、上記問題点を解消するためになされたものであって、その目的はフリッカーの低減を図ることのできる電気光学装置、電気光学装置の駆動方法及び電子機器を提供することにある。
【０００７】
【課題を解決するための手段】
本発明における電気光学装置は、各々が電気光学素子を備えた、複数の画素を有する電気光学装置であって、前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、前記複数のサブフレームは、同一の期間の長さを有する少なくとも２つのサブフレームを含む。
【０００８】
これによれば、同一の期間の長さ有するサブフレームを少なくとも２つ以上のサブフレームを設け、発光する期間をその２つ以上のサブフレームに振り分けるようにすることにより、発光する周期が短くなりフリッカーの発生を防止することができる。
【０００９】
この電気光学装置において、前記少なくとも２つのサブフレームは、前記複数のサブフレームの中で最も長い期間を有する。
これによれば、最も長い期間を設定するサブフレームが複数個設けているため、特に連続して最も長い期間のサブフレームを使って画像を表示する場合、発光する周期が短くなりフリッカーの発生を防止することができる。
【００１０】
この電気光学装置において、前記複数のサブフレームのうち前記少なくとも２つのサブフレームを除いたサブフレームの中で最も期間の長さが長いサブフレームの長さは、前記複数のサブフレームの中の最も期間の長いサブフレームの期間の長さの２分の１である。
【００１１】
これによれば、同じ２分の１の長さの期間のサブフレームを連続して使って画像を表示する場合、発光する周期が短くできフリッカーの発生を防止することができる。
【００１２】
この電気光学装置において、前記少なくとも２つのサブフレームは、１フレーム期間において連続して設定されない。
これによれば、１フレーム期間において、前記少なくとも２つ以上のサブフレームは、隣り合って設定されないため、連続してそれらサブフレームを使った画像を表示する場合、発光する周期が短くなりフリッカーの発生を防止することができる。
【００１３】
本発明における電気光学装置は、各々が電気光学素子を備えた、複数の画素を有する電気光学装置であって、前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、前記複数のサブフレームのうち、最も期間の長い２つのサブフレームを除いたサブフレームの期間の長さは２進荷重に設定されている。
【００１４】
これによれば、最も長い期間の２つのサブフレームを使って画像を表示する場合、例えば、それらサブフレームが隣り合わないようにして、発光する期間を振り分けるようにすることにより、発光する周期が短くなりフリッカーの発生を防止することができる。
【００１５】
この電気光学装置において、前記最も期間の長い２つのサブフレームは、１フレーム期間において連続して設定されない。
これによれば、１フレーム期間において、前記２つのサブフレームは、互いに隣り合って設定されないため、連続してそれらサブフレームを使った画像を表示する場合、発光する周期が短くなりフリッカーの発生を防止することができる。
【００１６】
本発明における電気光学装置は、各々が電気光学素子を備えた、複数の画素を有する電気光学装置であって、前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、前記複数のサブフレームのうち、最も長い期間を有する２つのサブフレームを除いたｎ個（ｎは自然数）のサブフレームの中で最も長い期間を有するサブフレームの期間の長さは、前記ｎ個のサブフレームの最も短い期間を有するサブフレームの期間の長さの２ｎ―１倍に設定されており、１フレームあたりの輝度は２ｎ＋１段階に設定可能になっている。
【００１７】
これによれば、最も長い期間を有する２つのサブフレームの長さを合わせると、ｎ個のサブフレームの最も短い期間を有するサブフレームの期間の長さの２ｎ倍となる。従って、最も長い期間の２つのサブフレームを使って画像を表示する場合、例えば、それらサブフレームが互いに隣り合わないようにして、発光する期間を振り分けるようにすることにより、発光する周期が短くなりフリッカーの発生を防止することができる。
【００１８】
この電気光学装置において、前記最も長い期間を有する２つのサブフレームは、１フレーム期間において連続して設定されない。
これによれば、１フレーム期間において、前記最も長い期間を有する２つのサブフレームは、互いに隣り合って設定されないため、連続してそれらサブフレームを使った画像を表示する場合、発光する周期が短くなりフリッカーの発生を防止することができる。
【００１９】
本発明における電気光学装置は、各々が電気光学素子を備えた、複数の画素を有する電気光学装置であって、前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、前記複数のサブフレームのうち、最も期間の長い、２つのサブフレームを足し合わせた期間の長さが、前記複数のサブフレームのうち、最も短い期間を有するサブフレームの長さの２ｎ倍（ｎは自然数）に設定されており、１フレームあたりの輝度は２ｎ＋１段階に設定可能となっている。
【００２０】
これによれば、前記２つのサブフレームの長さを合わせると、ｎ個のサブフレームの最も短い期間を有するサブフレームの期間の長さの２ｎ倍となる。従って、２つのサブフレームを使って画像を表示する場合、例えば、それらサブフレームが互いに隣り合わないようにして、発光する期間を振り分けるようにすることにより、発光する周期が短くなりフリッカーの発生を防止することができる。
【００２１】
この電気光学装置において、前記２つのサブフレームは、１フレーム期間において連続して設定されない。
これによれば、１フレーム期間において、前記２つのサブフレームは、互いに隣り合って設定されないため、連続してそれらサブフレームを使った画像を表示する場合、発光する周期が短くなりフリッカーの発生を防止することができる。
【００２２】
本発明における電気光学装置は、各々が電気光学素子を備えた、複数の画素を有する電気光学装置であって、前記複数の電気光学素子の各々の輝度を、１フレーム期間に含まれる、各々が所定の期間の長さを有する複数のサブフレームの各々毎に設定することにより、１フレームあたり、少なくとも２ｎ（ｎは自然数）段階の輝度を設定することが可能であり、前記複数のサブフレームの数はｎ＋１個以上である。
【００２３】
これによれば、ｎ＋１個以上あるサブフレームのうち少なくとも２個のサブフレームを使って、発光する期間をその２つ以上のサブフレームに振り分けるようにすることにより、発光する周期が短くなりフリッカーの発生を防止することができる。
【００２４】
この電気光学装置において、前記複数のサブフレームのうち、最も長いサブフレームの期間の長さは、最も期間の短いサブフレームの２ｎ−１倍である。
これによれば、最も長い期間を有するサブフレームの長さは、ｎ個のサブフレームの最も短い期間を有するサブフレームの期間の長さの２ｎ−１倍となる。従って、最も長い期間のサブフレームとその他のサブフレームとを使うとともにそれらが互いに隣り合わないようにして、発光する期間を振り分けるようにすることにより、発光する周期が短くなりフリッカーの発生を防止することができる。
【００２５】
本発明における電気光学装置は、電気光学素子を備え、１フレームあたり、少なくとも２段階以上の輝度を設定することが可能な電気光学装置であって、前記電気光学素子は、前記１フレーム期間に含まれる、各々が所定の期間の長さを有する複数のサブフレームの各々において階調データに基づいてオン状態又はオフ状態のいずれかに制御され、前記複数のサブフレームのうち、常に共にオン状態又はオフ状態のいずれかに制御されるサブフレームが少なくとも２つある。
【００２６】
これによれば、常に共にオン状態定及びオフ状態となる少なくとも２つ以上のサブフレームに対して、発光する期間を振り分けるようにすることにより、発光する周期が短くなりフリッカーの発生を防止することができる。
【００２７】
この電気光学装置において、少なくとも２つあるサブフレームは、同一の期間の長さを有する。
これによれば、常に共に設定及び非設定される少なくとも２つ以上のサブフ
レームに基づく発光する期間はそれぞれ同じである。
【００２８】
この電気光学装置において、前記少なくとも２つのサブフレームは、１フレーム期間において連続して設定されない。
これによれば、１フレーム期間において、前記少なくとも２つのサブフレームは、互いに隣り合って設定されないため、連続してそれらサブフレームを使った画像を表示する場合、発光する周期が短くなりフリッカーの発生を防止することができる。
【００２９】
この電気光学装置において、前記複数の画素のうち一つの走査線に接続されている一連の画素に対して設定される、前記複数のサブフレームの各々は実質的に同時に開始し、実質的に同時に終了する。
【００３０】
これによれば、各サブフレームにおいて、各走査線上の画素毎に順次に発光制御されるとともに順時消去されるように制御される。
この電気光学装置において、前記複数の画素のうち少なくとも２つの走査線に接続されている一連の画素に対して設定される、前記複数のサブフレームの各々は実質的に同時に終了する。
【００３１】
これによれば、各サブフレームにおいて、全画素が一斉に発光し一斉に消去されるように制御される。
この電気光学装置において、前記走査線が選択されたとき導通する第１のトランジスタと、前記第１のトランジスタを介して供給されるデータ信号を保持する容量素子と、前記容量素子に保持されたデータ信号に基づいてオン・オフ制御される第２のトランジスタと、前記第２のトランジスタのオン動作に基づいて駆動電流が供給される電子素子とからなる画素回路を備えた。
【００３２】
これによれば、第１のトランジスタは走査線が選択されたとき導通してデータ信号を容量素子に供給する。第２のトランジスタは、前記容量素子に保持されたデータ信号に基づいてオン・オフし、そのオン動作に基づいて電気素子に駆動電流を供給する。
【００３３】
この電気光学装置において、前記電子素子は電流駆動素子である。
これによれば、第２のトランジスタのオン動作に基づいて電流駆動素子に駆動電流が供給される。
【００３４】
この電気光学装置において、前記電流駆動素子はＥＬ素子である。
これによれば、第２のトランジスタのオン動作に基づいてＥＬ素子に駆動電流が供給され、ＥＬ素子は発光する。
【００３５】
この電気光学装置において、前記ＥＬ素子は発光層が有機材料で構成されている。
これによれば、第２のトランジスタのオン動作に基づいて有機ＥＬ素子に駆動電流が供給され、有機ＥＬ素子は発光する。
【００３６】
本発明における電気光学装置の駆動方法は、各々が電気光学素子を備えた、複数の画素を有する電気光学装置の駆動方法であって、前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、前記複数のサブフレームは、同一の期間の長さを有する少なくとも２つのサブフレームを含み、
前記２つのサブフレームが設定されるとき、その２つのサブフレームを互いに隣り合わないように設定するようにした。
【００３７】
これによれば、同一の期間の長さ有するサブフレームを少なくとも２つ以上のサブフレームを設け、発光する期間をその２つ以上のサブフレームに振り分けるとともに、その２つのサブフレームを互いに隣り合わないように設定するようにすることにより、発光する周期が短くなりフリッカーの発生を防止することができる。
【００３８】
本発明における電気光学装置の駆動方法は、各々が電気光学素子を備えた、複数の画素を有する電気光学装置の駆動方法であって、前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、前記複数のサブフレームのうち、最も期間の長い２つのサブフレームを除いたサブフレームの期間の長さは２進荷重に設定し、前記２つのサブフレームが設定されるとき、その２つのサブフレームを互いに隣り合わないように設定するようにした。
【００３９】
これによれば、最も長い期間の２つのサブフレームを使って画像を表示する場合、例えば、それらサブフレームが隣り合わないようにして、発光する期間を振り分けるとともに、その２つのサブフレームを互いに隣り合わないように設定するようにすることにより、発光する周期が短くなりフリッカーの発生を防止することができる。
【００４０】
本発明における電気光学装置の駆動方法は、各々が電気光学素子を備えた、複数の画素を有する電気光学装置の駆動方法であって、前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、前記複数のサブフレームのうち、最も長い期間を有する２つのサブフレームを除いたｎ個（ｎは自然数）のサブフレームの中で最も長い期間を有するサブフレームの期間の長さを、前記ｎ個のサブフレームの最も短い期間を有するサブフレームの期間の長さの２ｎ―１倍に設定し、前記２つのサブフレームが設定されるとき、その２つのサブフレームを互いに隣り合わないように設定して、１フレームあたりの輝度を２ｎ＋１段階に設定可能にする。
【００４１】
これによれば、最も長い期間を有する２つのサブフレームの長さを合わせると、ｎ個のサブフレームの最も短い期間を有するサブフレームの期間の長さの２ｎ倍となる。そして、最も長い期間の２つのサブフレームを使って画像を表示する場合、それらサブフレームが互いに隣り合わないようにして、発光する期間を振り分けるようにすることにより、発光する周期が短くなりフリッカーの発生を防止することができる。
【００４２】
本発明における電気光学装置の駆動方法は、各々が電気光学素子を備えた、複数の画素を有する電気光学装置の駆動方法であって、前記複数の電気光学素子の各々の輝度を、１フレーム期間に含まれる、各々が所定の期間の長さを有する複数のサブフレームの各々毎に設定することにより、１フレームあたり、少なくとも２段階以上の輝度を設定することが可能であり、前記複数のサブフレームのうち、最も期間の長い、２つのサブフレームを足し合わせた期間の長さを、前記複数のサブフレームのうち、最も短い期間を有するサブフレームの長さの２ｎ倍（ｎは自然数）に設定し、前記２つのサブフレームが設定されるとき、その２つのサブフレームを互いに隣り合わないように設定して、１フレームあたりの輝度を２ｎ＋１段階に設定可能にする。
【００４３】
これによれば、前記２つのサブフレームの長さを合わせると、ｎ個のサブフレームの最も短い期間を有するサブフレームの期間の長さの２ｎ倍となる。従って、２つのサブフレームを使って画像を表示する場合、それらサブフレームが互いに隣り合わないようにして、発光する期間を振り分けるようにすることにより、発光する周期が短くなりフリッカーの発生を防止することができる。
【００４４】
本発明における電気光学装置の駆動方法は、各々が電気光学素子を備えた、複数の画素を有する電気光学装置の駆動方法であって、前記複数の電気光学素子の各々の輝度を、１フレーム期間に含まれる、各々が所定の期間の長さを有する複数のサブフレームの各々毎に設定することにより、１フレームあたり、少なくとも２ｎ（ｎは自然数）段階の輝度を設定することが可能であり、前記複数のサブフレームの数はｎ＋１個以上設け、その中の予め定めた２つのサブフレームは常に共に設定及び非設定されるようにするとともに、設定されるときには、その２つのサブフレームを互いに隣り合わないように設定して、１フレームあたりの輝度を２ｎ段階に設定可能にする。
【００４５】
これによれば、ｎ＋１個以上あるサブフレームのうち少なくとも２個のサブフレームを使って、発光する期間をその２つ以上のサブフレームに振り分けるとともに、その２つのサブフレームを互いに隣り合わないように設定するようことにより、発光する周期が短くなりフリッカーの発生を防止することができる。
【００４６】
この電気光学装置の駆動方法において、前記複数の画素のうち一つの走査線に接続されている一連の画素に対して設定される、前記複数のサブフレームの各々は実質的に同時に開始し、実質的に同時に終了する。
【００４７】
これによれば、各サブフレームにおいて、各走査線上の画素毎に順次に発光制御されるとともに順時消去されるように制御される。
この電気光学装置の駆動方法において、前記複数の画素のうち少なくとも２つの走査線に接続されている一連の画素に対して設定される、前記複数のサブフレームの各々は実質的に同時に終了する。
【００４８】
これによれば、各サブフレームにおいて、全画素が一斉に発光し一斉に消去されるように制御される。
この電気光学装置の駆動方法において、前記走査線が選択されたとき導通する第１のトランジスタと、前記第１のトランジスタを介して供給されるデータ信号を保持する容量素子と、前記容量素子に保持されたデータ信号に基づいてオン・オフ制御される第２のトランジスタと、前記第２のトランジスタのオン動作に基づいて駆動電流が供給される電子素子とからなる画素回路を備えた。
【００４９】
これによれば、第１のトランジスタは走査線が選択されたとき導通してデータ信号を容量素子に供給する。第２のトランジスタは、前記容量素子に保持されたデータ信号に基づいてオン・オフし、そのオン動作に基づいて電気素子に駆動電流を供給する。
【００５０】
本発明における電子機器は、請求項１乃至２１のいずれか一つに記載の電気光学装置を実装した。
これによれば、電子機器はフリッカーが発生し難い。
【００５１】
【発明の実施の形態】
以下、本発明を具体化した一実施形態を時分割階調で図１〜図３に従って説明する。
【００５２】
図１は、電気光学装置としての有機ＥＬディスプレイ１０の電気的構成を示すブロック回路図を示す。有機ＥＬディスプレイ１０は、表示パネル部１１、走査線駆動回路１２、データ線駆動回路１３及び制御回路１４を備えている。
【００５３】
有機ＥＬディスプレイ１０の表示パネル部１１及び各回路１２〜１４は、それぞれが独立した電子部品によって構成されていてもよい。例えば、各回路１２〜１４が１チップの半導体集積回路装置によって構成されていてもよい。また、表示パネル部１１及び各回路１２，１３の全部若しくは一部が一体となった電子部品として構成されていてもよい。例えば、表示パネル部１１に、データ線駆動回路１３と走査線駆動回路１２とが一体的に形成されていてもよい。各回路１２〜１４の全部若しくは一部がプログラマブルなＩＣチップで構成され、その機能がＩＣチップに書き込まれたプログラムによりソフトウェア的に実現されてもよい。
【００５４】
表示パネル部１１は、図１に示すように、マトリクス状に配列された複数の電子回路としての画素回路２０を有している。つまり、各画素回路２０は、その列方向に沿ってのびる複数のデータ線Ｘ１〜Ｘｍ（ｍは整数）と、行方向に沿ってのびる複数の走査線Ｙ１〜Ｙｎ（ｎは整数）との交差部に対応して配置されている。そして、各画素回路２０は、対応するデータ線Ｘ１〜Ｘｍと走査線Ｙ１〜Ｙｎとの間にそれぞれ接続されることにより、マトリクス状に配列されている。各画素回路２０には電子素子、電流駆動素子または電気光学素子として発光層が有機材料で構成された有機ＥＬ素子２１を有している。尚、画素回路２０内に形成れる後記するトランジスタは、通常は薄膜トランジスタ（ＴＦＴ）で構成している。
【００５５】
図２は、画素回路２０の内部回路構成を説明するための電気回路図を示す。尚、説明の便宜上、ｍ番目のデータ線Ｘｍとｎ番目の走査線Ｙｎとの点に配置され、両データ線Ｘｍと走査線Ｙｎとの間に接続された画素回路２０について説明する。
【００５６】
画素回路２０は、第２のトランジスタとしての駆動用トランジスタＱ１、第１のトランジスタとしてのスイッチング用トランジスタＱ２、リセット用トランジスタＱ３、容量素子としての保持キャパシタＣ１を備えている。スイッチング用トランジスタＱ２はＮチャネルＦＥＴよりな構成されている。駆動用トランジスタＱ１及びリセット用トランジスタＱ３はＰチャネルＦＥＴよりな構成されている。
【００５７】
駆動用トランジスタＱ１は、ドレインが前記有機ＥＬ素子２１の陽極に接続され、ソースが電源電圧ＶＯＥＬが供給される電源線Ｌ１に接続されている。駆動用トランジスタＱ１のゲートと電源線Ｌ１との間には、保持キャパシタＣ１が接続されている。また、駆動用トランジスタＱ１のゲートは、スイッチング用トランジスタＱ２を介して前記データ線Ｘｍに接続されている。スイッチング用トランジスタＱ２のゲートは、走査線Ｙｎに接続されている。
【００５８】
リセット用トランジスタＱ３は、前記保持キャパシタＣ１に対して並列に接続されている。リセット用トランジスタＱ３のゲートは、前記走査線Ｙｎに接続されている。
【００５９】
このように構成された画素回路２０において、走査線駆動回路１２から走査線Ｙｎに走査信号ＳＣｎが出力されると、スイッチング用トランジスタＱ２はオン状態となる。スイッチング用トランジスタＱ２がオン状態となると、データ線駆動回路１３からデータ線Ｘｍに出力されているデータＶＤＡＴＡが前記保持キャパシタＣ１に蓄積される。このデータＶＤＡＴＡは、前記駆動用トランジスタＱ１をオン状態又はオフ状態のいずれかにするためのデータである。尚、データＶＤＡＴＡが保持された保持キャパシタＣ１は、走査信号ＳＣｎが消失しスイッチング用トランジスタＱ２がオフ状態になっても先に蓄積したデータＶＤＡＴＡを保持する。
【００６０】
そして、前記駆動用トランジスタＱ１は、蓄積されるデータＶＤＡＴＡの内容に基づいてオン状態又はオフ状態のいずれかに制御される。そして、駆動用トランジスタＱ１がオン状態のとき、有機ＥＬ素子２１は駆動電流が供給され発光する。反対に、駆動用トランジスタＱ１がオフ状態のとき、有機ＥＬ素子２１は駆動電流の供給が遮断され発光を停止する。
【００６１】
次に、走査線駆動回路１２から走査線Ｙｎにマイナス電位のリセット信号ＶＳＲＥＳＴｎが出力されると、リセット用トランジスタＱ３がオフ状態からオン状態となる。リセット用トランジスタＱ３がオン状態となると、電源線Ｌ１から電源電圧ＶＯＥＬが同リセット用トランジスタＱ３を介して前記保持キャパシタＣ１に印加され先のデータＶＤＡＴＡは消去されるとともに、駆動用トランジスタＱ１のゲートは電源電圧ＶＯＥＬの電位となる。つまり、保持キャパシタＣ１はリセットされる。
【００６２】
保持キャパシタＣ１がリセットされると、駆動用トランジスタＱ１はオフ状態となり、先のデータＶＤＡＴＡに基づいて発光していた有機ＥＬ素子２１がその発光が停止する。そして、次に実行される発光動作を待つ。つまり、各画素回路２０の有機ＥＬ素子２１の発光期間は、走査信号ＳＣ１〜ＳＣｎが出力されてからリセット信号ＶＲＥＳＴ１〜ＶＲＥＳＴｎが出力されるまでの間が発光期間となる。
【００６３】
走査線駆動回路１２は、前記複数の走査線Ｙ１〜Ｙｎの中の１本を選択、即ち走査信号を出力してその選択された走査線に接続された画素回路２０群を駆動するための回路である。走査線駆動回路１２は、制御回路１４からの各種信号に基づいて各走査線Ｙ１〜Ｙｎに対して所定のタイミングで走査信号ＳＣ１〜ＳＣｎをそれぞれ出力する。
【００６４】
データ線駆動回路１３は、前記各データ線Ｘ１〜Ｘｍに対するデータＶＤＡＴＡ１〜ＶＤＡＴＡｍを生成しそれぞれ対応するデータ線Ｘ１〜Ｘｍに出力する。データ線駆動回路１３は、前記データＶＤＡＴＡ１〜ＶＤＡＴＡｍを前記走査信号ＳＣ１〜ＳＣｎに同期して出力する。つまり、前記走査線駆動回路１２が１つの走査線に走査信号を出力した時、データ線駆動回路１３はその選択された走査線上の各画素回路に対するデータＶＤＡＴＡ１〜ＶＤＡＴＡｍを出力する。
【００６５】
制御回路１４は、図示しない外部装置から画像データＤを入力し、同画像データＤに基づいて時分割階調のための各サブフレームのデータＶＤＡＴＡ１〜ＶＤＡＴＡｍを生成する。又、制御回路１４は、スタートパルス信号ＤＩＮＹ，クロック信号ＣＬＫＹ，ＣＬＫＸを生成する。スタートパルス信号ＤＩＮＹは１フレームの各サブフレームにおいて最初の走査線の選択開始を実行させるための一定期間だけＨレベルに立ち上がる信号であって、前記走査線駆動回路１２及びデータ線駆動回路１３に出力される。クロック信号ＣＬＫＹは、前記走査線駆動回路１２に出力され、走査線駆動回路１２において生成される走査線を順番に選択するための走査信号ＳＣ１〜ＳＣｎを順番に出力させるタイミングを決定する信号である。
【００６６】
この有機ＥＬディスプレイ１０は、中間調を時分割階調で６４階調を表現できるディスプレイである。従って、有機ＥＬディスプレイ１０は、６４階調を表現するために、１フレームを複数のサブフレームから構成している。詳述すると、本実施形態では、図３に示すように、１フレームを、７つに分割しその分割された７つのサブフレームＳＦ１〜ＳＦ７としている。つまり、一般に、６４階調の場合には、期間の長さがそれぞれ、「１」、「２」、「４」、「８」、「１６」、そして最上位ビットの「３２」である６つのサブフレームにて１フレーム（図７及び図８参照）を構成するが、本実施形態では一つ多い７つのサブフレームＳＦ１〜ＳＦ７で１フレームを構成している。
【００６７】
各サブフレームＳＦ１〜ＳＦ７はそれぞれ発光期間ＴＬ１〜ＴＬ７からなり、これら各期間は以下のように設定している。
１６ＴＬ１＝８ＴＬ２＝４ＴＬ３＝ＴＬ４＝２ＴＬ５＝ＴＬ６＝ＴＬ７
つまり、各発光期間ＴＬ１〜ＴＬ７は、
ＴＬ１：ＴＬ２：ＴＬ３：ＴＬ４：ＴＬ５：ＴＬ６：Ｔ７
＝１：２：４：１６：８：１６：１６
となる比を設定している。
【００６８】
即ち、従来は、図７又は図８に示すように、６つの第１〜第６サブフレームＳＦ１〜ＳＦ６中の最も長い発光期間を指定する第６サブフレームＳＦ６の発光期間ＴＬ６を「３２」に設定した。しかし、本実施形態の有機ＥＬディスプレイ１０では、図３に示すように、その「３２」を、２分して「１６」を２つのサブフレーム（第４サブフレームＳＦ４と第７サブフレームＳＦ７）に振り分けるために、７つのサブフレームＳＦ１〜ＳＦ７で構成されている。
【００６９】
従って、通常の場合であれば、期間の長さ「３２」を有するサブフレームを用いて階調を制御するが、本実施形態では、第４サブフレームＳＦ４と第７サブフレームＳＦ７が分担することになる。従って、第４サブフレームＳＦ４と第７サブフレームＳＦ７とは、互いに独立して制御されることなく、常に単位期間当たりの輝度を一致するように制御される。各サブフレームを非発光及び発光のうちいずれか一方、あるいはオン及びオフの状態をとるような２値駆動方法では、第４サブフレームＳＦ４が発光状態あるいはオン状態の時は、第７サブフレームＳＦ７も常に発光状態あるいはオン状態であり、第４サブフレームＳＦ４が非発光状態あるいはオフ状態の時には、第７サブフレームＳＦ７も常に非発光状態あるいはオフ状態となるように設定されている。
【００７０】
因みに、「３２」の輝度階調を得る場合には、第４及び第７サブフレームＳＦ４，ＳＦ７の時に、有機ＥＬ素子を発光させる。そして、第１〜第３、第５、第６サブフレームＳＦ１〜ＳＦ３，ＳＦ５，ＳＦ６の時に、有機ＥＬ素子を消灯させることによって、「３２」の輝度階調を得ることができる。
【００７１】
又、「４４」の輝度階調を得る場合、第３、第４、第５及び第７サブフレームＳＦ３，ＳＦ４，ＳＦ５，ＳＦ７の時に、有機ＥＬ素子を発光させる。そして、第１、第２及び第６サブフレームＳＦ１，ＳＦ２，ＳＦ６の時に、有機ＥＬ素子を消灯させることによって、「４４」の輝度階調を得ることができる。
【００７２】
このように、時分割階調法において、１フレームを構成する各サブフレームＳＦ１〜ＳＦ７において、各走査線Ｙ１〜Ｙｎ上の画素回路群を順次駆動させる必要がある。そのため、前記走査線駆動回路１２は、１フレームの画像を表示するために、各サブフレームＳＦ１〜ＳＦ７の期間において、各走査線Ｙ１〜Ｙｎを順番に選択するように走査信号ＳＣ１〜ＳＣｎを順番に生成し出力するようになっている。また、走査線駆動回路１２は、各走査線Ｙ１〜Ｙｎに対して対応する走査信号ＳＣ１〜ＳＣｎをそれぞれ出力し所定期間（発光期間）経過すると、その対応する走査線Ｙ１〜Ｙｎにリセット信号ＶＲＥＳＴ１〜ＶＲＥＳＴｎをそれぞれ出力するようになっている。つまり、各サブフレームＳＦ１〜ＳＦ７において、それぞれ発光期間ＴＬ１〜ＴＬ７だけ発光させるように設定している。
【００７３】
また、前記制御回路１４は、画像データＤに基づいて第１〜第７サブフレームＳＦ１〜ＳＦ７のデータＶＤＡＴＡ１〜ＶＤＡＴＡｍを生成する。そして、制御回路１４は、１フレームの画像データＤを有機ＥＬディスプレイ１０で表現するために、１フレームを７つに分割しその分割された７つのサブフレームＳＦ１〜ＳＦ７を使って１つの画像を６４階調で表現する。
【００７４】
つまり、制御回路１４は、１フレームの階調データとしての画像データＤについて、データ線駆動回路１３に対して第１〜第７サブフレームＳＦ１に対する各走査線Ｙ１〜Ｙｎ上の各画素回路２０に供給するデータＶＤＡＴＡ１〜ＶＤＡＴＡｍを生成する。このとき、制御回路１４は、「１」の階調を表現するためのデータＶＤＡＴＡ１〜ＶＤＡＴＡｍを第１サブフレームＳＦ１に、「２」の階調を表現するためのデータＶＤＡＴＡ１〜ＶＤＡＴＡｍを第２サブフレームＳＦ２に、「４」の階調を表現するためのデータＶＤＡＴＡ１〜ＶＤＡＴＡｍを第３サブフレームＳＦ３にそれぞれ作成する。さらに、制御回路１４は、「８」の階調を表現するためのデータＶＤＡＴＡ１〜ＶＤＡＴＡｍを第５サブフレームＳＦ５に、「１６」の階調を表現するためのデータＶＤＡＴＡ１〜ＶＤＡＴＡｍを第６サブフレームＳＦ６にそれぞれ作成する。
【００７５】
さらにまた、制御回路１４は、「３２」の階調を表現するためのデータＶＤＡＴＡ１〜ＶＤＡＴＡｍを第４サブフレームＳＦ４と第７サブフレームＳＦ７に振り分けるようにした。言い換えると、単独で「３２」の階調を表現するサブフレームを設けず、第４サブフレームＳＦ４と第７サブフレームＳＦ７に振り分け、「３２」の階調を表現するためのデータＶＤＡＴＡ１〜ＶＤＡＴＡｍを第４サブフレームＳＦ４と第７サブフレームＳＦ７に作成するようにした。つまり、制御回路１４は、「１６」の階調を指定する第４サブフレームＳＦ４と第７サブフレームＳＦ７を使って「３２」の階調を表現するようにした。
【００７６】
又、走査線駆動回路１２は、このクロック信号ＣＬＫＹに基づいて各サブフレームＳＦ１〜ＳＦ７における各走査線Ｙ１〜Ｙｎに対するリセット信号ＶＲＥＳＴ１〜ＶＲＥＳＴｎの生成する。走査線駆動回路１２は、第１サブフレームＳＦ１においては、走査信号ＳＣ１〜ＳＣｎが出力されてＴＬ１期間経過後にリセット信号ＶＲＥＳＴ１〜ＶＲＥＳＴｎがそれぞれ出力するようになっている。因みに、第２サブフレームＳＦ２においては、走査信号ＳＣ１〜ＳＣｎが出力されてＴＬ２（＝２×ＴＬ１）期間経過後に、第３サブフレームＳＦ３においては、走査信号ＳＣ１〜ＳＣｎが出力されてＴＬ３（＝４×ＴＬ１）期間経過後に、第４サブフレームＳＦ４においては、走査信号ＳＣ１〜ＳＣｎが出力されてＴＬ４（＝１６×ＴＬ１）期間経過後に、リセット信号ＶＲＥＳＴ１〜ＶＲＥＳＴｎがそれぞれ出力するようになっている。又、第５サブフレームＳＦ５においては、走査信号ＳＣ１〜ＳＣｎが出力されてＴＬ５（＝８×ＴＬ１）期間経過後に、第６サブフレームＳＦ６においては、走査信号ＳＣ１〜ＳＣｎが出力されてＴＬ６（＝１６×ＴＬ１）期間経過後に、第７サブフレームＳＦ７においては、走査信号ＳＣ１〜ＳＣｎが出力されてＴＬ７（＝１６×ＴＬ１）期間経過後に、リセット信号ＶＲＥＳＴ１〜ＶＲＥＳＴｎがそれぞれ出力するようになっている。
【００７７】
クロック信号ＣＬＫＸは前記クロック信号ＣＬＫＹと同期した信号であって、前記データ線駆動回路１３に出力される。クロック信号ＣＬＫＸは、各サブフレームＳＦ１〜ＳＦ６において各走査信号ＳＣ１〜ＳＣｎにて走査線Ｙ１〜Ｙｎがそれぞれ選択される毎にその選択された走査線上の各画素回路２０に対してそれぞれデータ線Ｘ１〜Ｘｍを介してデータＶＤＡＴＡ１〜ＶＤＡＴＡｍを出力するタイミングを決定する信号である。
【００７８】
次に、上記のように構成した有機ＥＬディスプレイ１０の作用を説明する。
制御回路１４は、１フレームの画像データＤについて、データ線駆動回路１３に対して第１〜第７サブフレームＳＦ１〜ＳＦ７に対する各走査線Ｙ１〜Ｙｎ上の各画素回路２０に供給するデータＶＤＡＴＡ１〜ＶＤＡＴＡｍを生成する。また、制御回路１４は、走査線駆動回路１２及びデータ線駆動回路１３に対してスタートパルス信号ＤＩＮＹ，クロック信号ＣＬＫＹ，ＣＬＫＸを出力する。
【００７９】
そして、走査線駆動回路１２は、制御回路１４からのスタートパルス信号ＤＩＮＹに応答して第１サブフレームＳＦ１のための走査信号ＳＣ１〜ＳＣｎを順次出力し各走査線Ｙ１〜Ｙｎを順番に選択していく。また、走査線駆動回路１２は、走査信号ＳＣ１〜ＳＣｎ出力してＴＬ１期間経過後、リセット信号ＶＲＥＳＴ１〜ＶＲＥＳＴｎを出力する。
【００８０】
一方、データ線駆動回路１３は、各走査線Ｙ１〜Ｙｎが選択される毎に、その選択された走査線上の各画素回路２０に第１サブフレームＳＦ１におけるデータＶＤＡＴＡ１〜ＶＤＡＴＡｍを順次出力する。従って、選択された走査線上の各画素回路２０はデータＶＤＡＴＡ１〜ＶＤＡＴＡｍに基づいて動作（点灯又は消灯）する。そして、各画素回路２０はＴＬ１期間経過後のリセット信号ＶＲＥＳＴ１〜ＶＲＥＳＴｎに応答して消灯動作する。
【００８１】
第１サブフレームＳＦ１の最後の走査線Ｙｎ上の各画素回路２０へのデータＶＤＡＴＡ１〜ＶＤＡＴＡｍの供給が終了すると、走査線駆動回路１２は制御回路１４からのスタートパルス信号ＤＩＮＹを入力する。走査線駆動回路１２は、スタートパルス信号ＤＩＮＹ応答して第２サブフレームＳＦ２のための走査信号ＳＣ１〜ＳＣｎを順次出力し各走査線Ｙ１〜Ｙｎを順番に選択していく。また、走査線駆動回路１２は、走査信号ＳＣ１〜ＳＣｎ出力してＴＬ２（＝２×ＴＬ１）期間経過後、リセット信号ＶＲＥＳＴ１〜ＶＲＥＳＴｎを出力する。
【００８２】
一方、データ線駆動回路１３は、前記と同様に、選択された走査線上の各画素回路２０に第２サブフレームＳＦ２におけるデータＶＤＡＴＡ１〜ＶＤＡＴＡｍを順次出力する。そして、選択された走査線上の各画素回路２０は前記同様にデータＶＤＡＴＡ１〜ＶＤＡＴＡｍに基づいて動作（点灯又は消灯）し、ＴＬ２期間経過後のリセット信号ＶＲＥＳＴ１〜ＶＲＥＳＴｎに応答して消灯動作する。
【００８３】
以後、第３サブフレームＳＦ３〜第７サブフレームＳＦ７についても、同様な動作が繰り返されて１フレームの画像が表現される。そして、１フレームの画像表示動作が終了すると、次の１フレームのための画像表示動作が同様に行われる。
【００８４】
次に、上記のように構成した有機ＥＬディスプレイ１０の特徴を以下に記載する。
（１）本実施形態では、時分割階調法によって６４階調の中間調を表現する場合、６４階調を「１」、「２」、「４」、「８」、「１６」、「３２」で表現する際の最長の期間である「３２」を、一つのサブフレームで表現しないで、第４サブフレームＳＦ４と第７サブフレームＳＦ７の２つのサブフレームに等分に振り分けた。つまり、サブフレームの数を一つ増やして７つにし、その一つ増やしたサブフレームに最高の期間である「３２」の１／２である「１６」を分担させた。しかも、その振り分けた２つのサブフレームは互いに離間した第４サブフレームＳＦ４と第７サブフレームＳＦ７に割り当てた。
【００８５】
従って、例えば、多数のフレームが連続して「３２」で表現される画像を表示する場合、一つフレームにおいて第４サブフレームＳＦ４と第７サブフレームＳＦ７の２つの期間で点灯動作が行われる。その結果、多数のフレームが連続して「３２」で表現される画像を表示する場合、一つのサブフレームで「３２」を表現する場合に比べて、発光する周期が１／２と短くなりフリッカーの発生を防止することができる。
【００８６】
次に、上記実施形態で説明した電気光学装置としての有機ＥＬディスプレイ１０の電子機器の適用について図４及び図５に従って説明する。有機ＥＬディスプレイ１０は、モバイル型のパーソナルコンピュータ、携帯電話、デジタルカメラ等種々の電子機器に適用できる。
【００８７】
図４は、モバイル型パーソナルコンピュータの構成を示す斜視図を示す。図４において、パーソナルコンピュータ６０は、キーボード６１を備え本体部６２と、前記有機ＥＬディスプレイ１０を用いた表示ユニット６３を備えている。この場合でも、有機ＥＬディスプレイ１０を用いた表示ユニット６３は前記実施形態と同様な効果を発揮する。その結果、パーソナルコンピュータ６０は、フリッカーの少ない画像表示を実現することができる。
【００８８】
図５は、携帯電話の構成を示す斜視図を示す。図５において、携帯電話７０は、複数の操作ボタン７１、受話口７２、送話口７３、前記有機ＥＬディスプレイ１０を用いた表示ユニット７４を備えている。この場合でも、有機ＥＬディスプレイ１０を用いた表示ユニット７４は前記実施形態と同様な効果を発揮する。その結果、携帯電話７０は、フリッカーの少ない画像表示を実現することができる。
【００８９】
尚、発明の実施形態は、上記実施形態に限定されるものではなく、以下のように実施してもよい。
○前記実施形態では、画素回路の電子素子又は電流駆動素子として有機ＥＬ素子２１について具体化したが、無機ＥＬ素子に具体化してもよい。つまり、無機ＥＬ素子からなる無機ＥＬディスプレイに応用しても良い。
【００９０】
○前記実施形態の有機ＥＬディスプレイ１０は、時分割階調法の一つである順次点灯同時消去法で中間調を制御したが、同時点灯法に具体化してもよい。例えば、図６に示すように、６４階調の中間調を表現する場合、６４階調を「１」、「２」、「４」、「８」、「１６」、「３２」で表現する際の最長の期間である「３２」を、一つのサブフレームで表現しないで、第４サブフレームＳＦ４と第７サブフレームＳＦ７の２つのサブフレームに等分に振り分る。
【００９１】
○前記実施形態では、「３２」を、一つのサブフレームで表現しないで、第４サブフレームＳＦ４と第７サブフレームＳＦ７の２つのサブフレームに等分に振り分けたが、これに限定されるものではなく、互いに隣接しなければ、第４サブフレームＳＦ４と第７サブフレームＳＦ７に限定されない。尚、第４サブフレームＳＦ４と第７サブフレームＳＦ７は、次の１フレームにおいて隣接するため、含まれない。
【００９２】
○前記実施形態では、第４サブフレームＳＦ４と第７サブフレームＳＦ７は、期間が同じ長さであったが、異なる長さで実施してもよい。また、この場合、異なる長さの第４サブフレームＳＦ４と第７サブフレームＳＦ７の和が、最も短い期間の３２倍（２ｎ−１倍）となるように実施すれば、前記実施形態と同様に６４段階（２ｎ＋１段階）の中間調を表現することができる。
【００９３】
○前記実施形態では、２つにサブフレームに分割したが、例えば、「８」、「８」、「１６」をそれぞれ指定するサブフレーム等、３つ以上のサブフレームに分割して実施してもよい。
【００９４】
○前記実施形態では、６４階調の中間調を制御する場合について説明したが、「１６」階調の中間調、「３２」階調の中間調、「１２８」階調も中間調、「２５６」階調の中間調等、その他２ｎ段階（階調）の中間調の制御に応用してもよい。
【００９５】
○前記実施形態の画素回路２０では、リセット用トランジスタＱ３のゲートをスイッチング用トランジスタＱ２のゲートと同じ走査線に接続したが、リセット専用の走査線を設け、リセット専用の走査線に対してリセット用トランジスタＱ３のゲートを接続して実施してもよい。
【００９６】
【発明の効果】
本発明によれば、フリッカーの低減を図ることのできる。
【図面の簡単な説明】
【図１】本実施形態の有機ＥＬディスプレイの回路構成を示すブロック回路図。
【図２】画素回路の内部回路構成を示す回路図。
【図３】本実施形態の時分割階調法を説明するための説明図。
【図４】本実施形態の有機ＥＬディスプレイを実装したモバイル型パーソナルコンピュータの斜視図。
【図５】本実施形態の有機ＥＬディスプレイを実装した携帯電話の斜視図。
【図６】本発明の別例の時分割階調における同時点灯法を説明するための説明図。
【図７】従来の時分割階調における同時点灯法を説明するための説明図。
【図８】従来の時分割階調における順次点灯同時消去法を説明するための説明図。
【符号の説明】
Ｄ  階調データとしての画像データ
Ｃ１  容量素子としての保持キャパシタ
Ｑ１  第２のトランジスタとしての駆動用トランジスタ
Ｑ２  第１のトランジスタとしてのスイッチング用トランジスタ
Ｙ１〜Ｙｎ  走査線
Ｘ１〜Ｘｍ  データ線
ＳＦ１  第１サブフレーム
ＳＦ２  第２サブフレーム
ＳＦ３  第３サブフレーム
ＳＦ４  第４サブフレーム
ＳＦ５  第５サブフレーム
ＳＦ６  第６サブフレーム
ＳＦ７  第７サブフレーム
ＴＬ１〜ＴＬ７  発光期間
１０  電気光学装置としての有機ＥＬディスプレイ
１４  制御回路
２０  画素回路
２１  電子素子又は電流駆動素子としての有機ＥＬ素子
６０  電子機器としてのパーソナルコンピュータ
７０  電子機器としての携帯電話
【図１】
2004151644.tif 000003
【図２】
2004151644.tif 000004
【図３】
2004151644.tif 000005
【図４】
2004151644.tif 000006
【図５】
2004151644.tif 000007
【図６】
2004151644.tif 000008
【図７】
2004151644.tif 000009
【図８】
2004151644.tif 000010